(57)【要約】【課題】  安全性が高く、しかも保管や運搬などの取り扱いに便利な側部落下防止部材を提供する。【解決手段】  支柱１ｂに固定される立板部材８と、足場板４上に載置されて、その足場板４と前記支柱１ｂの間に形成される隙間６を塞ぐ閉塞部材９を有し、その閉塞部材９は前記立板部材８に対して折り畳み可能に連結されていることを特徴とする。【選択図】図２
2011032847.tif 000002
【特許請求の範囲】
【請求項１】
隣の支柱との間に架設されてその支柱に固定される立板部材と、
足場板上に載置されて、その足場板と前記支柱の間に形成される隙間を塞ぐ閉塞部材を有し、
その閉塞部材は前記立板部材に対して折り畳み可能に連結されていることを特徴とする足場補助部材。
【請求項２】
請求項１に記載の足場補助部材において、
前記閉塞部材が前記立板部材に対して回転可能に連結されて、その閉塞部材が前記立板部材に対して約２７０度以上回転しないように閉塞部材の回転角を規制する回転角規制手段が設けられていることを特徴とする足場補助部材。
【請求項３】
請求項１または２に記載の足場補助部材において、
前記立板部材と閉塞部材の折り畳んだ状態を保持する留め部材が、前記立板部材または閉塞部材に付設されていることを特徴とする足場補助部材。
【請求項４】
内側支柱と外側支柱が対になり、その支柱対が所定の間隔をおいて多数本立設され、各内側支柱と外側支柱の間に手摺りが横架されて、手摺りと手摺りの間に足場板が架設された足場構造体において、
前記支柱から足場板にかけて請求項１ないし３のいずれか１項に記載の足場補助部材が設置されていることを特徴とする足場構造体。
【請求項５】
請求項４に記載の足場構造体において、
前記足場補助部材の立板部材にボルト挿入孔が形成され、ボルト付きクランプが前記支柱に固定され、そのボルト付きクランプのボルトを前記ボルト挿入孔に挿通して、前記立板部材を支柱に固定することを特徴とする足場構造体。
【発明の詳細な説明】
【技術分野】
【０００１】  本発明は、家屋やビルなどの建築物や船舶などの構築物の側部に設置される足場構造体に係り、特に安全性を高めるための足場補助部材に関するものである。
【背景技術】
【０００２】  図６は、建築物や船舶などの構築物の側部に設置される従来の足場構造体を説明するための一部斜視図である。【０００３】  同図に示すように、構築物（図示せず）の外周部には内側支柱１ａと外側支柱１ｂが対になって所定の間隔をおいて多数本立設され、各内側支柱１ａと外側支柱１ｂの間にはパイプ状の手摺り２ａが架設されている。そして手摺り２ａと手摺り２ａの間には、両端部にフック３，３を一体に取り付けた足場板４が架設されている。また、外側支柱１ｂと外側支柱１ｂの間にもパイプ状の手摺り２ｂが架設されている。【０００４】  このようにして組み立てられた足場構造体の前記足場板４の上に作業員が立って所定の作業を行なったり、足場板４の上を移動したりする。
【発明の概要】
【発明が解決しようとする課題】
【０００５】  ところが図６に示す足場構造体では、内側支柱１ａと内側支柱１ａの間、あるいは外側支柱１ｂと外側支柱１ｂの間には何も安全策が取られていないため、例えば作業員が足場板４で足を滑らせて外側支柱１ｂと外側支柱１ｂの間から下方へ落下したり、足場板４に置いてあった建築用部材などが何らかの外力が加わって外側支柱１ｂと外側支柱１ｂの間から下方へ落下したりする事故が発生していた。【０００６】  このような事故を防ぐために、図７に示すような足場構造体の構成が考えられる。この足場構造体は同図に示すように、外側支柱１ｂと外側支柱１ｂの間に足場板４と同様の板状の幅木５を当てがって番線で固定する構成である。幅木５の両端部にはフック３，３が一体に取り付けられ、このフック３，３によって幅木５が外側支柱１ｂと外側支柱１ｂの間で位置決めされて、図示していないが外側支柱１ｂと幅木５の端部は番線などによって締結される。【０００７】  このように外側支柱１ｂと外側支柱１ｂの間に幅木５を設置することにより、外側支柱１ｂと外側支柱１ｂの間からの落下事故をある程度防止することはできるが、問題が無い訳ではない。【０００８】  すなわち、この足場構造体のように外側支柱１ｂと外側支柱１ｂの間に幅木５を挿入して取り付ける構成では、図７に示すように足場板４の横幅が内側支柱１ａと外側支柱１ｂの間隔より狭いと、足場板４と幅木５の間に外側支柱１ｂと外側支柱１ｂの間隔と同じ長さの隙間６が形成される。そしてこの隙間６から建築用部材などが下方へ落下したり、あるいは作業員が前記隙間６に足を突っ込んで思わぬ事故を引き起こすなどの危険性があり、安全性の点では未だ不十分である。【０００９】  また、前記幅木５の上下両端部は番線などによって外側支柱１ｂに固定しているため、足場構造体を解体するときには前記番線は廃材となり、再利用できないからランニングコストが高くつき不経済であるとともに、多量の番線屑が出てその処理が煩雑であるなどの問題を有している。【００１０】  本発明の目的は、このような従来技術の欠点を解消し、さらに安全性が高く、しかも保管や運搬などの取り扱いに便利な足場補助部材ならびにそれを用いた足場構造体を提供することにある。
【課題を解決するための手段】
【００１１】  前記目的を達成するため本発明の第１の手段は足場補助部材において、
隣の支柱との間に架設されてその支柱に固定される立板部材と、
足場板上に載置されて、その足場板と前記支柱の間に形成される隙間を塞ぐ閉塞部材を有し、
その閉塞部材は前記立板部材に対して折り畳み可能に連結されていることを特徴とするものである。【００１２】  本発明の第２の手段は前記第１の手段において、
前記閉塞部材が前記立板部材に対して回転可能に連結されて、その閉塞部材が前記立板部材に対して約２７０度以上回転しないように閉塞部材の回転角を規制する例えば後述するストッパーなどの回転角規制手段が設けられていることを特徴とするものである。【００１３】  本発明の第３の手段は前記第１または第２の手段において、
前記立板部材と閉塞部材の折り畳んだ状態を保持する留め部材が、前記立板部材または閉塞部材に付設されていることを特徴とするものである。【００１４】  本発明の第４の手段は、
内側支柱と外側支柱が対になり、その支柱対が所定の間隔をおいて多数本立設され、各内側支柱と外側支柱の間に手摺りが横架されて、手摺りと手摺りの間に足場板が架設された足場構造体において、
前記支柱から足場板にかけて前記第１ないし第３のいずれか手段の足場補助部材が設置されていることを特徴とするものである。【００１５】  本発明の第５の手段は前記第４の手段において、
前記足場補助部材の立板部材にボルト挿入孔が形成され、ボルト付きクランプが前記支柱に固定され、そのボルト付きクランプのボルトを前記ボルト挿入孔に挿通して、前記立板部材を支柱に固定することを特徴とするものである。
【発明の効果】
【００１６】  本発明は前述のように、隣の支柱と支柱の間は立板部材で塞がれ、しかもその支柱と足場板との間に形成されている隙間は閉塞部材で塞がれるから、足場板の周辺での作業者や部材の落下事故を未然に防止することができ、高い安全性が確保できる。【００１７】  また閉塞部材と立板部材は折り畳み可能に連結されているから、保管や運搬などの取り扱い時には嵩張らずコンパクトになるから、保管や取り扱いに便利な足場補助部材を提供することができる。
【図面の簡単な説明】
【００１８】
【図１】本発明の実施形態に係る側部落下防止部材の折り畳んだ状態での側面図である。
【図２】その側部落下防止部材を取り付けた足場構造体の側面図である。
【図３】その側部落下防止部材を取り付けた足場構造体の一部斜視図である。
【図４】本発明の実施形態に係る端部落下防止部材の斜視図である。
【図５】側部落下防止部材と端部落下防止部材を一緒に取り付けた状態を示す一部平面図である。
【図６】従来の足場構造体を説明するための一部斜視図である。
【図７】従来の足場構造体を説明するための一部斜視図である。
【発明を実施するための形態】
【００１９】  本発明の実施形態に係る足場構造体を図面とともに説明する。
図１は本発明の実施形態に係る側部落下防止部材の折り畳んだ状態での側面図、図２はその側部落下防止部材を取り付けた足場構造体の側面図、図３はその側部落下防止部材を取り付けた足場構造体の一部斜視図、図４は本発明の実施形態に係る端部落下防止部材の斜視図、図５は側部落下防止部材と端部落下防止部材を一緒に取り付けた状態を示す一部平面図である。
【００２０】  本発明の実施形態に係る側部落下防止部材７は、図３ならびに図５に示すように外側支柱１ｂから足場板４の一側端部４ａにかけて設置されるものである。
この側部落下防止部材７は図１ないし図３に示すように、外側支柱１ｂと外側支柱１ｂの間に立設される立板部材８と、図２ならびに図７に示す外側支柱１ｂと足場板４の一側端部４ａの間に形成される隙間６を塞ぐ閉塞部材９とを有している。立板部材８と閉塞部材９は蝶番１０で連結されて図１に示すように折り畳み可能になっており、さらに閉塞部材９は立板部材８に対して矢印方向に約２７０度（約３／４周）回転できるようになっている。
【００２１】  閉塞部材９の蝶番１０と隣接する端部には、閉塞部材９と略同じ長さのストッパー１１が溶接などによって一体に設けられている。図２に示すように閉塞部材９を立板部材８に対して約２７０度（約３／４周）回転したときに、前記ストッパー１１の端面１２が立板部材８の側面に当接して、閉塞部材９がそれ以上回転しないようになっている。
【００２２】  図３に示すように、立板部材８の横の長さＬ１は外側支柱１ｂと外側支柱１ｂの間隔Ｌ２よりも若干長く設計されており（Ｌ１＞Ｌ２）、隣接する立板部材８の端部どうしを重ね合わせて１本の外側支柱１ｂに取り付けられるようになっている。
【００２３】  立板部材８を外側支柱１ｂに取り付けるのに、ボルト付きクランプ１３が用いられる。図２ならびに図３に示すように、ボルト付きクランプ１３を外側支柱１ｂの所定の位置に固定し、立板部材８に形成されているボルト挿入孔（図示せず）にボルト付きクランプ１３のボルト１４を挿通して、ナット１５で締結することにより、側部落下防止部材７（立板部材８）が外側支柱１ｂに取り付けられる。
【００２４】  図１に示すように、立板部材８と閉塞部材９の高さＨは略同寸に設計されており、実際の高さＨは安全性を考慮して１５ｃｍ以上に設定されている。立板部材８の上端部の両側には弾性を有する金属板などからなる留め部材１６が設けられている。
【００２５】  図５に示すように足場構造体の端部には、内側支柱１ａから外側支柱１ｂにかけて端部落下防止部材１７が取り付けられている。この端部落下防止部材１７は平面形状がコ字形をしており、内側支柱１ａから外側支柱１ｂにかけて延びる端板部１８と、その端板部１８の両端部に互いに内側に対向するように設けられた取付板部１９，１９とを有している。この取付板部１９は、蝶番２１を介して端板部１８に折り畳み可能に連結されている。
【００２６】  図４に示すように、取付板部１９，１９の所定の位置にはボルト挿入孔２０がそれぞれ形成されている。そして図５に示すように、端部落下防止部材１７の一方は取付板部１９を介してボルト付きクランプ１３によって直接内側支柱１ａに取り付けられており、端部落下防止部材１７の他方は、取付板部１９が前記側部落下防止部材７の立板部材８の端部に重ね合わさって、１つのボルト付きクランプ１３によって外側支柱１ｂに取り付けられている。
【００２７】  図５に示すように、通常、手摺り２と足場板４の間には余り大きな隙間は形成されないから、端部落下防止部材１７にはその隙間を塞ぐ閉塞部は必要ないが、前記隙間が大きい場合は、端板部１８の下端に折り曲げによって閉塞部を一体に設け、前記隙間をその閉塞部で塞ぐことも可能である。
【００２８】  側部落下防止部材７の保管や運搬時には、図１に示すように立板部材８と閉塞部材９を折り畳んで重ね合わせて、その状態を留め部材１６で保持している。このように側部落下防止部材７が折り畳み式になっているので嵩張らず、側部落下防止部材７の保管や運搬に好都合である。
【００２９】  足場構造体に側部落下防止部材７を取り付ける際には、図１に示す状態から閉塞部材９を留め部材１６から外して、矢印で示すように約２７０度回転させ、閉塞部材９を水平状態にする。この状態で図２に示すように、閉塞部材９を足場板４の一側端部４ａの上に載せて隙間６を塞ぎ、予め外側支柱１ｂに固定されているボルト付きクランプ１３で立板部材８を外側支柱１ｂに締結することにより、側部落下防止部材７の取り付けは終了する。
【００３０】  このようにして側部落下防止部材７を取り付けた状態で、閉塞部材９のストッパー１１の端面１２は立板部材８の側面に当接しているから、閉塞部材９の自由端９ａが矢印Ｘ方向に浮き上がることが阻止され、閉塞部材９は足場板４の上に確実に載置される。このように閉塞部材９の浮き上がりが阻止されるから、閉塞部材９を足場板４に番線などで固定する必要がなく、側部落下防止部材７の設置が簡便であるとともに、足場構造体の解体時に番線屑の発生量を少なく抑えることができる。
【００３１】  外側支柱１ｂと足場板４の間に隙間６が殆どなくて安全な場合には、図１に示すように閉塞部材９を開かずに折り畳んだ状態で、側部落下防止部材７を外側支柱１ｂに取り付けることにより、外側支柱１ｂの間からの落下防止に役立つ。
【００３２】  側部落下防止部材７ならびに端部落下防止部材１７には所定の剛性が必要であり、金属板、足場板４のような網目状部材、あるいは多数の小孔を開けたパンチングメタルやエキスパンデットメタルなどで構成することができる。側部落下防止部材７ならびに端部落下防止部材１７を網目状部材、パンチングメタルあるいはエキスパンデットメタルなどで構成することにより、軽量化を図ることができる。
【００３３】  前記実施形態では閉塞部材９に別体のストッパー１１を取り付けたが、閉塞部材９の一部を切り起こして、その切起部を立板部材８の側面に当接するストッパーとすることもできる。また、閉塞部材９の回転角度を前述の範囲に規制するストッパー機能付きの蝶番を用いることも可能である。
また前記閉塞部材９の表面に、滑り防止部材を付設することも可能である。
【００３４】  前記実施形態では外側支柱１ｂと足場板４の間に側部落下防止部材７を設けたが、内側支柱１ａと足場板４の間に側部落下防止部材７を設けることも可能である。
【００３５】  請求項別の効果を示せば下記の通りである。
請求項１に記載の発明によれば、隣の支柱と支柱の間は立板部材で塞がれ、しかもその支柱と足場板との間に形成されている隙間は閉塞部材で塞がれるから、足場板の周辺での作業者や部材の落下事故を未然に防止することができ、高い安全性が確保できる。
【００３６】  また閉塞部材と立板部材は折り畳み可能に連結されているから、保管や運搬などの取り扱い時には嵩張らずコンパクトになるから、保管や取り扱いに便利な足場補助部材を提供することができる。
【００３７】  請求項２に記載の発明によれば、閉塞部材が立板部材に対して約２７０度以上回転しないように閉塞部材の回転角を規制する例えばストッパーなどの回転角規制手段が設けられている。
【００３８】  そのため閉塞部材の自由端側が浮き上がることが阻止され、閉塞部材が足場板の上に確実に載置される。このように閉塞部材の浮き上がりが阻止されるから、閉塞部材を足場板に番線などで固定する必要がなく、足場補助部材の設置が簡便であるとともに、足場構造体の解体時に番線屑の発生量を少なく抑えることができる。
【００３９】  請求項３に記載の発明によれば、立板部材と閉塞部材の折り畳んだ状態を保持する留め部材が付設されているから、支柱と足場板との間に安全性に問題のある隙間ができない足場構造体の場合は、立板部材と閉塞部材の折り畳んだ状態で支柱に固定することができ、足場補助部材が邪魔になることはない。
【００４０】  請求項４に記載の発明によれば、安全性の高い足場構造体を提供することができる。
【００４１】  請求項５に記載の発明によれば、クランプを使用することで番線を用いないで足場補助部材を支柱に固定することができるから、足場構造体の解体時に発生する番線屑の量を少なく抑えるとともに、ランニングコストの低減を図ることができる。
【００４２】  また、足場補助部材とクランプを一体化することも考えられるが、足場補助部材とクランプでは耐用寿命が違うため、例えばクランプの部分は耐用寿命に達しており、一方、足場補助部材の部分は耐用寿命に達していない場合でも、足場補助部材とクランプの一体化物を破棄せざるを得ないという事態が発生する。これに対して足場補助部材とクランプを別々にすることで、足場補助部材とクランプを耐用寿命までフルに使用することができ、結局、ランニングコストの低減を図ることができる。
【符号の説明】
【００４３】  １ａ・・・内側支柱、
１ｂ・・・外側支柱、
２ａ，２ｂ・・・手摺り、
３・・・フック、
４・・・足場板、
４ａ・・・足場板の一側端部、
６・・・隙間、
７・・・側部落下防止部材、
８・・・立板部材、
９・・・閉塞部材、
９ａ・・・閉塞部材の自由端、
１０・・・蝶番
１１・・・ストッパー、
１２・・・端面、
１３・・・ボルト付きクランプ、
１４・・・ボルト、
１５・・・ナット、
１６・・・留め部材、
１７・・・端部落下防止部材、
１８・・・端板部、
１９・・・取付板部、
２０・・・ボルト挿入孔、
２１・・・蝶番、
Ｌ１・・・立板部材の横の長さ、
Ｌ２・・・外側支柱の横の長さ、
Ｈ・・・立板部材、閉塞部材の高さ。
【図１】
2011032847.tif 000003
【図２】
2011032847.tif 000004
【図３】
2011032847.tif 000005
【図４】
2011032847.tif 000006
【図５】
2011032847.tif 000007
【図６】
2011032847.tif 000008
【図７】
2011032847.tif 000009